(57)【特許請求の範囲】
【請求項１】
スイング可能な棒状部材と、この棒状部材にその長さ方向に配列された複数の発光素子と、前記棒状部材をスイングした際にそのスイング軌跡上に複数の発光素子の発光残像により図柄を表示可能に前記複数の発光素子を制御する発光制御手段とを備えたスイング式発光表示装置において、
前記発光制御手段は、棒状部材を往復させるようにスイングした際にその往方向スイングと復方向スイングとで同一の又は異なる図柄を表示可能に複数の発光素子を制御し、
前記発光制御手段による制御に同期させて、前記図柄を表示可能にする棒状部材のスイング方向を報知するスイング方向ガイド手段と、前記棒状部材のスイング方向を切換えるタイミングを報知するタイミングガイド手段を設け、
前記スイング方向ガイド手段は、前記棒状部材に取付けられ且つ棒状部材の往方向スイングと復方向スイングに夫々対応する第１、第２報知ライトを有することを特徴とするスイング式発光表示装置。
【請求項２】
前記第１，第２報知ライトは夫々対応するスイング方向を指し示すように取付けられたことを特徴とする請求項１に記載のスイング式発光表示装置。
【請求項３】
前記タイミングガイド手段は、前記第１，第２報知ライトを兼用して構成されたことを特徴とする請求項１又は２に記載のスイング式発光表示装置。
【請求項４】
前記発光制御手段は、複数の発光素子の発光パターンを設定時間毎に切換えるように制御し、棒状部材の往方向スイングと復方向スイングとで同一の図柄を表示させる場合、往方向スイングにおいて複数の発光パターンを順次切換える切換え順序と、復方向スイングにおいて複数の発光パターンを順次切換える切換え順序とが逆になることを特徴とする請求項１〜３の何れか１項に記載のスイング式発光表示装置。
【発明の詳細な説明】
【技術分野】
【０００１】
本発明は、複数の発光素子が配列された棒状部材をスイングすることにより、そのスイング軌跡上に複数の発光素子の発光残像により図柄を表示するスイング式発光表示装置に関するものである。
【背景技術】
【０００２】
この種のスイング式発光表示装置では、棒状部材をスイングした際に図柄を表示可能に、発光制御部により複数の発光素子が制御され、これら複数の発光素子の発光パターンが微小時間毎に切換えられる（特許文献１，２参照）。特許文献１，２のスイング式発光表示装置では、更に、棒状部材を往復させるようにスイングした際にその往方向スイングと復方向スイングとで同一の又は異なる図柄を表示可能に、複数の発光素子が制御される。
【０００３】
ここで、特許文献１のスイング式発光表示装置においては、棒状部材に角速度検出器が装備され、その角速度検出器により検出された棒状部材のスイング方向とスイング速度に応じて、スイング（往方向又は復方向スイング）毎に文字が適当なサイズで且つ反転しない正常な向きで適切に表示されるように、複数の発光パターンを順次切換える切換え順序、並びに切換え時間（前記微小時間）が調整制御される。
【０００４】
特許文献２のスイング式発光表示装置においては、棒状部材にスピーカが装備され、そのスピーカから演奏（カラオケ）が音声出力される。この演奏のテンポに合わせて棒状部材をスイングした場合に、その１回のスイングで文字が綺麗に表示され、それを続けると、音声出力された演奏に合う歌詞が数文字ずつ切換え表示される。
【先行技術文献】
【特許文献】
【０００５】
【特許文献１】特開２００１−２４２８１３号公報
【特許文献２】特開２００６−２６７７１１号公報
【発明の概要】
【発明が解決しようとする課題】
【０００６】
従来のスイング式発光表示装置において、複数の発光パターンを順次切換える切換え順序、並びに切換え時間を調整制御できないものでは、複数の発光素子の発光残像により文字等の図柄を適切に表示させるように、棒状部材をスイングすることが難しい。つまり、予め決められた前記切換え順序、並びに切換え時間となるように、複数の発光素子が制御されるため、棒状部材をスイングした場合に、その棒状部材のスイング方向が正規の方向と逆になり、文字が反転表示される場合が多くなる。
【０００７】
例えば、棒状部材を正規の方向にスイングさせた場合、図５に示すように、「ＳＫＥ」の文字が表示されるところを、棒状部材のスイング方向が正規の方向と逆になると、図１２に示すように、「ＳＫＥ」の反転文字が表示される。
【０００８】
特許文献２のスイング式発光表示装置では、スピーカから音声出力された演奏のテンポに合わせて棒状部材をスイングした場合に、１回のスイングで文字が綺麗に表示され、つまり、この演奏のテンポにより、棒状部材のスイング方向を切換えるタイミングが報知されることになる。しかし、棒状部材の正規のスイング方向については、実際に表示される図柄を見ること以外に知ることができず、依って、棒状部材のスイング方向が正規の方向と逆になり、文字が反転表示される場合が多くなるという前記課題は改善されない。
【０００９】
特許文献１のスイング式発光表示装置では、角速度検出器により検出された棒状部材のスイング方向とスイング速度に応じて、スイング毎に文字が適当なサイズで且つ反転しない正常な向きで適切に表示されるように、複数の発光パターンを順次切換える切換え順序、並びに切換え時間が調整制御される。しかし、棒状部材のスイング方向とスイング速度を精度良く検出し、且つ前記切換え順序、並びに切換え時間を精度良く調整制御することは難しく、しかも、複数の発光素子を制御する負荷が大きくなり、角速度検出器を別途設ける必要があるため、製作コストが高くなる。
【００１０】
本発明の目的は、特に棒状部材のスイング方向をガイドすることにより、文字等の図柄を正常な向きで適切に表示させ得るスイング式発光表示装置を提供することである。
【課題を解決するための手段】
【００１１】
第１の発明（スイング式発光表示装置）は、スイング可能な棒状部材(2) と、この棒状部材(2) にその長さ方向に配列された複数の発光素子(3) と、前記棒状部材(2) をスイングした際にそのスイング軌跡上に複数の発光素子(3) の発光残像により図柄を表示可能に前記複数の発光素子(3) を制御する発光制御手段(4) とを備えたスイング式発光表示装置(1) において、前記発光制御手段(4) は、棒状部材(2) を往復させるようにスイングした際にその往方向スイング(S1)と復方向スイング(S2)とで同一の又は異なる図柄を表示可能に複数の発光素子(3) を制御し、前記発光制御手段(4) による制御に同期させて、前記図柄を表示可能にする棒状部材(2) のスイング方向を報知するスイング方向ガイド手段(11)と、前記棒状部材(2)のスイング方向を切換えるタイミングを報知するタイミングガイド手段(12)を設け、前記スイング方向ガイド手段(11)は、前記棒状部材(2)に取付けられ且つ棒状部材(2)の往方向スイング(S1)と復方向スイング(S2)に夫々対応する第１、第２報知ライト(6a,6b)を有することを特徴としている。
【００１４】
第２の発明は、第１の発明において、前記第１，第２報知ライト(6a,6b) は夫々対応するスイング方向を指し示すように取付けられたことを特徴としている。
【００１５】
第３の発明は、第１又は第２の発明において、前記タイミングガイド手段(12)は、前記第１，第２報知ライト(6a,6b) を兼用して構成されたことを特徴としている。
【００１６】
第４の発明は、第１〜第３の何れかの発明において、前記発光制御手段(4) は、複数の発光素子(3) の発光パターンを設定時間毎に切換えるように制御し、棒状部材(2) の往方向スイング(S1)と復方向スイング(S2)とで同一の図柄を表示させる場合、往方向スイング(S1)において複数の発光パターンを順次切換える切換え順序と、復方向スイング(S2)において複数の発光パターンを順次切換える切換え順序とが逆になることを特徴としている。
【発明の効果】
【００１７】
本発明（スイング式発光表示装置）によれば、特に棒状部材のスイング方向およびスイング方向切換えタイミングをガイドすることにより、文字等の図柄を正常な向きで適切に表示させることができる。
【図面の簡単な説明】
【００１８】
【図１】実施例１のスイング式発光表示装置の正面図である。
【図２】図１のII矢視図である。
【図３】図１のIII 矢視図である。
【図４】スイング式発光表示装置の制御系のブロック図である。
【図５】スイング式発光表示装置により適切に表示された文字を示す図である。
【図６】発光制御装置が実行する処理・制御のフローチャートである。
【図７】メモリカードに記憶された各種データを示す図表である。
【図８】複数のＬＥＤの発光パターン及びその切換え順序を示す図である。
【図９】実施例２の発光制御装置が実行する処理・制御のフローチャートである。
【図１０】実施例２のメモリカードに記憶された各種データを示す図表である。
【図１１】実施例２の複数のＬＥＤの発光パターン及びその切換え順序を示す図である。
【図１２】スイング式発光表示装置により反転表示された文字を示す図である。
【発明を実施するための形態】
【００１９】
以下、発明を実施するための形態について実施例に基づいて説明する。
【実施例１】
【００２０】
図１〜図４に示すように、スイング式発光表示装置１は、スイング可能な棒状部材２と、この棒状部材２にその長さ方向に配列された複数（１３個）の発光素子であるＬＥＤ３（第１〜第１３ＬＥＤ３ａ〜３ｍ）と、棒状部材２をスイングした際にそのスイング軌跡上に複数のＬＥＤ３の発光残像により図柄を表示可能に複数のＬＥＤ３を制御する発光制御装置４（発光制御手段４）とを備えている。
【００２１】
図１〜図３に示すように、棒状部材２は、合成樹脂材料を主体に構成され、複数のＬＥＤ３が取付けられたＬＥＤ取付筒部２ａと、手で握り持つことができるグリップ筒部２ｂとを有する。複数のＬＥＤ３は、等間隔おきに配列されて、例えば、帯板状の１つの基板に実装され、この基板がＬＥＤ取付筒部２ａの内部に固定されている。そして、ＬＥＤ取付筒部２ａには複数（１３個）の穴が棒状部材２の長さ方向に等間隔おきに形成され、これら複数の穴から複数のＬＥＤ３が夫々外部へ臨んでいる。
【００２２】
尚、ＬＥＤ３の数について、本実施例では１３個であるが、それに限定されるものではない。複数のＬＥＤ３の発光色については、基本的に全て同一色（例えば、青色）とすることが好ましい。但し、複数色混在させることもでき、この場合、３個の発光色が異なるＬＥＤを集合配置して１組とし、その１組３個のＬＥＤを複数組棒状部材２の長さ方向に配列してもよい。ＬＥＤ３の代わりに種々の発光素子を適用可能である。ＬＥＤ取付筒部２ａに前記複数の穴を形成せずに、ＬＥＤ取付筒部２ａを透明（又は半透明）にして、ＬＥＤ取付筒部２ａの内部に設けられたＬＥＤ３の発光を外部へ透過させてもよい。
【００２３】
図１〜図４に示すように、グリップ筒部２ｂには、このスイング式発光表示装置１を使用する人（以下、使用者と記す）が操作可能な電源操作部５が設けられ、グリップ筒部２ｂの底部２ｃには、使用者が手で持って棒状部材２をスイングしているときにも視認可能な第１，第２報知ライトである第１，第２報知ＬＥＤ６ａ，６ｂが取付けられている。これら第１，第２報知ＬＥＤ６ａ，６ｂは、外部露出を避けるために、夫々透明又は半透明のカバーで覆われている。また、グリップ筒部２ｂには、メモリカード７（以下、ＭＣ７と記す）を挿入する為のカード挿入口２ｄが形成されている。
【００２４】
尚、電源操作部５は、例えば棒状部材２の長さ方向と平行方向へスライドさせるスライド操作型であるが、プッシュ操作型でもよい。第１，第２報知ＬＥＤ６ａ，６ｂを、底部２ｃではなくグリップ筒部２ｂに取付けてもよい。但しこの場合、第１，第２報知ＬＥＤ６ａ，６ｂが、グリップ筒部２ｂを持つ使用者の手の邪魔にならないようにする。第１，第２報知ＬＥＤ６ａ，６ｂの発光色については、同一色（例えば、白色）としてもよいし、異色（例えば、白色と赤色）としてもよい。
【００２５】
図４に示すように、グリップ筒部２ｂの内部には、前記発光制御装置４の他、複数のＬＥＤ３と第１，第２報知ＬＥＤ６ａ，６ｂとを駆動する為のＬＥＤ駆動回路８、ＭＣ７用のメモリカードリーダ（以下、ＭＣリーダ９と記す）、発光制御装置４とＬＥＤ駆動回路８とＭＣリーダ９とに電力を供給する電源回路１０が設けられている。
【００２６】
発光制御装置４は、ＭＣリーダ９を介してＭＣ７に記憶されている各種データを読込み、その各種データに基づいて、ＬＥＤ駆動回路８を介して複数のＬＥＤ３（第１〜第１３ＬＥＤ３ａ〜３ｍ）と第１，第２報知ＬＥＤ６ａ，６ｂとを駆動制御する。電源回路１０は、電源操作部５を介して操作され電源のオン・オフを切換える電源ＳＷ１０ａと、交換可能又は充電可能なバッテリ１０ｂ（例えば、数個の市販電池）とを有する。
【００２７】
ところで、使用者が手でグリップ筒部２ｂを持ち棒状部材２をスイングする際、その棒状部材２のスイング面と略直交し且つ使用者と反対方向（通常、使用者の前方）に複数のＬＥＤ３が向くようにして行い、これが棒状部材２の正規のスイング方向Ｓであり、更に、棒状部材２をその長さ方向と直交する左右にスイングするのが正しいスイングの仕方である。これにより、使用者と反対側から棒状部材２のスイングを見られる人（以下、他者と記す）に対して、その棒状部材２のスイングにより文字等の図柄が表示される。
【００２８】
発光制御装置４は、棒状部材２を正規のスイング方向Ｓにおいて往復させるようにスイングした際にその往方向スイングＳ１と復方向スイングＳ２とで、同一の図柄（例えば、図５に示す「ＳＫＥ」の文字）を他者に対して表示可能に複数のＬＥＤ３を制御し、この場合、複数のＬＥＤ３の発光パターンを設定時間毎に切換えるように制御し、往方向スイングＳ１において複数の発光パターンを順次切換える切換え順序と、復方向スイングＳ２において複数の発光パターンを順次切換える切換え順序とが逆になる。
【００２９】
さて、このスイング式発光表示装置１には、発光制御装置４による制御（複数のＬＥＤ３の発光パターンを設定時間毎に切換える制御）に同期させて、図柄を表示可能にする棒状部材２のスイング方向（往方向スイングＳ１、復方向スイングＳ２）を報知するスイング方向ガイド手段１１と、図柄を表示可能にする棒状部材２のスイング方向を往方向スイングＳ１と復方向スイングＳ２の一方から他方へ切換えるタイミングを報知するタイミングガイド手段１２とが設けられている。
【００３０】
スイング方向ガイド手段１１は、棒状部材２に取付けられ且つ棒状部材２の往方向スイングＳ１と復方向スイングＳ２に夫々対応する第１，第２報知ＬＥＤ６ａ，６ｂと、第１，第２報知ＬＥＤ６ａ，６ｂを制御する発光制御装置４とによって構成され、第１，第２報知ＬＥＤ６ａ，６ｂは夫々対応するスイング方向（往方向スイングＳ１、復方向スイングＳ２）を指し示すように棒状部材２に取付けられている。
【００３１】
第１，第２報知ＬＥＤ６ａ，６ｂは、グリップ筒部２ｂの底部２ｃに取付けられているが、具体的に、その底部２ｃの外周近傍部において、棒状部材２の中心から往方向スイングＳ１の方向線上に第１報知ＬＥＤ６ａが取付けられ、棒状部材２の中心から復方向スイングＳ２の方向線上に第２報知ＬＥＤ６ｂが取付けられている。そして、往方向スイングＳ１の報知は、往方向スイングＳ１を行うべき間、第１報知ＬＥＤ６ａを点灯、第２報知ＬＥＤ６ｂを消灯することで行われ、復方向スイングＳ２の報知は、復方向スイングＳ２を行うべき間、第１報知ＬＥＤ６ａを消灯、第２報知ＬＥＤ６ｂを点灯して行われる。
【００３２】
タイミングガイド手段１２は、第１，第２報知ＬＥＤ６ａ，６ｂを兼用して構成され、即ち、第１，第２報知ＬＥＤ６ａ，６ｂと、第１，第２報知ＬＥＤ６ａ，６ｂを制御する発光制御装置４とによって構成されている。そして、往方向スイングＳ１から復方向スイングＳ２に切換える報知は、第２報知ＬＥＤ６ｂを消灯状態から点灯状態（第１報知ＬＥＤ６ａを点灯状態から消灯状態）に切換えることで行われ、復方向スイングＳ２から往方向スイングＳ１に切換える報知は、第１報知ＬＥＤ６ａを消灯状態から点灯状態（第２報知ＬＥＤ６ｂを点灯状態から消灯状態）に切換えることで行われる。
【００３３】
発光制御装置４が実行する処理・制御について詳しく説明する。
図６に示すように、この処理・制御は電源がオンされると開始され、先ず、初期設定（Ｓ１）が実行され、そこで、発光パターン番号ｎに１がセットされ、計測時間ｔに０がセットされる。その後、ＭＣリーダ９に装着されたＭＣ７から各種データが読込まれ（Ｓ２）、次に、発光制御を開始か否か判定され（Ｓ３）、ここで、Ｓ３の判定がYes になるまで待機される。尚、ＭＣリーダ９にＭＣ７が装着されていない場合、或いは、ＭＣ７が装着されていても、そのＭＣ７から発光制御に必要なデータが読込まれなかった場合、エラーとなり、発光制御は開始されない。
【００３４】
ここで、図７に示すように、ＭＣ７には、複数の発光パターン（第１発光パターンＰ１，第２発光パターンＰ２・・・、第Ｎ発光パターンＰＮ（Ｎ＝１９））のデータ、発光パターン数Ｎ（Ｎ＝１９）のデータ、発光パターン切換え時間ΔＴのデータ、往復同一図柄指定のデータ、等が記憶されている。
【００３５】
例えば、複数の発光パターンＰ１〜Ｐ１９は、往方向スイングＳ１と復方向スイングＳ２の両方で、図８に示すように「ＳＫＥ」の文字を表示させるものである。発光パターンＰ１〜Ｐ１９のうち、例えば、第１発光パターンＰ１では、全ＬＥＤ３が消灯され、第２発光パターンＰ２では、ＬＥＤ３ｂ〜３ｆ，３ｌが点灯されて残りのＬＥＤ３が消灯され、第５発光パターンＰ５では、ＬＥＤ３ａ，３ｇ，３ｍが点灯されて残りのＬＥＤ３が消灯され、第８発光パターンＰ８では、全ＬＥＤ３が点灯される。
【００３６】
各発光パターンのデータは、その発光パターンで点灯させるＬＥＤ３を指定するデータになっている。但し、各発光パターンのデータに、その発光パターンで点灯させるＬＥＤ３の点灯時間（尚、この点灯時間は、発光パターン切換え時間ΔＴ以下の時間になる）のデータを付随させてもよい。
【００３７】
発光パターン数Ｎは、ＭＣ７に記憶されている発光パターンの数であり、発光パターン切換え時間ΔＴは、発光パターンの切換え時からその次の発光パターンの切換え時までの時間である。往復同一図柄指定は、往方向スイングＳ１と復方向スイングＳ２とで同一の図柄を表示する指定を意味し、この往復同一図柄指定のデータが読込まれたことを条件に、図６のＳ４以降の発光制御が有効になる。
【００３８】
ＭＣ７から読込まれた各種データに基づいて、Ｓ４以降の発光制御が実行されることにより、使用者が、スイング方向ガイド手段１１及びタイミングガイド手段１２によるガイドに従って、棒状部材２をスイングすることにより、図５に示すように、所望の文字（「ＳＫＥ」）が適切に表示されることになる。
【００３９】
尚、パソコンを使用し、そのパソコンにおいて、ＭＣライト・リーダにＭＣ７を装着し、インターネット上の所定のサイトから図７のような各種データをダウンロードして、ＭＣ７に記憶させるように構成することができる。また、パソコンを使用して、図７のような各種データをオリジナルに編集可能に構成してもよい。
【００４０】
さて、図６に示すように、ＭＣ７から発光制御に必要なデータが読込まれて、Ｓ３の判定がYes になった場合、先ず、往方向スイングフラグＦに１がセットされ（Ｓ４）、次に、第１報知ＬＥＤ６ａが点灯、第２報知ＬＥＤ６ｂが消灯され（Ｓ５）、次に、複数のＬＥＤ３（第１〜第１３ＬＥＤ３ａ〜３ｍ）が第ｎ発光パターンに切換えられる（Ｓ６）。電源投入後の最初のＳ６では、Ｓ１の初期設定でｎに１がセットされているため、第１発光パターンＰ１に切換えられる。使用者は、点灯した第１報知ＬＥＤ６ａを見て、この第１報知ＬＥＤ６ａが指し示す方向となる往方向スイングＳ１を行えばよい。
【００４１】
尚、Ｓ６の実行により、点灯対象のＬＥＤ３は、発光パターン切換え時間ΔＴ以下の時間点灯され、この点灯時間については、ＭＣ７から読込まれた発光パターンのデータに付随した点灯時間のデータに基づいて決定してもよい。Ｓ６の実行後、計測時間ｔが０から計時開始され（Ｓ７）、その後、計測時間ｔ≧発光パターン切換え時間ΔＴか否か判定され（Ｓ８）、ここで、Ｓ８の判定がYes になるまで待機される。
【００４２】
Ｓ８の判定がYes になった場合、計測時間ｔに０がセットされ（Ｓ９）、次に、往方向スイングフラグＦ＝１か否か判定される（Ｓ１０）。往方向スイングＳ１時には、Ｓ１０の判定がYes になり、次に、発光パターン番号ｎ＝Ｎ（Ｎ＝１９）か否か判定され（Ｓ１１）、Ｓ１１の判定がNoの場合、つまり、往方向スイングＳ１を継続して行う場合、発光パターン番号ｎがｎ＋１に加算され（Ｓ１２）、Ｓ６へリターンする。こうして、Ｓ１１の判定がYes になるまで、図８に示すように、往方向スイングＳ１時、複数のＬＥＤ３の発光パターンが、Ｐ１→Ｐ２→Ｐ３・・・→Ｐ１９となるように設定時間ΔＴ毎に順次切換えられる。
【００４３】
Ｓ１１の判定がYes になった場合、つまり、往方向スイングＳ１から復方向スイングＳ２に切換える場合、Ｓ１３へ移行する。Ｓ１３では、往方向スイングフラグＦに０がセットされ、次に、第１報知ＬＥＤ６ａが消灯、第２報知ＬＥＤ６ｂが点灯され（Ｓ１４）、次に、複数のＬＥＤ３（第１〜第１３ＬＥＤ３ａ〜３ｍ）が第ｎ発光パターンに切換えられる（Ｓ６）。Ｓ１１の判定がYes の場合、発光パターン番号ｎ( ＝１９）は維持されてＳ６が実行され、つまり、前回と同じ第Ｎ（Ｎ＝１９）発光パターンとなり、結果的に発光パターンは切換えられない。使用者は、点灯した第２報知ＬＥＤ６ｂを見て、この第２報知ＬＥＤ６ｂが指し示す方向となる復方向スイングＳ２を行えばよい。
【００４４】
その後、Ｓ７からＳ１０が前記同様実行され、復方向スイングＳ２時には、Ｓ１０の判定がNoになり、次に、発光パターン番号ｎ＝１か否か判定され（Ｓ１５）、Ｓ１５の判定がNoの場合、つまり、復方向スイングＳ２を継続して行う場合、発光パターン番号ｎがｎ−１に減算され（Ｓ１６）、Ｓ６へリターンする。こうして、Ｓ１５の判定がYes になるまで、図８に示すように、復方向スイングＳ２時、複数のＬＥＤ３の発光パターンが、Ｐ１９→Ｐ１８→Ｐ１７・・・→Ｐ１となるように設定時間ΔＴ毎に順次切換えられる。
【００４５】
Ｓ１５の判定がYes になった場合、つまり、復方向スイングＳ２から往方向スイングＳ１に切換える場合、Ｓ４へ移行する。Ｓ４では、前記のように、往方向スイングフラグＦに１がセットされ、次に、第１報知ＬＥＤ６ａが点灯、第２報知ＬＥＤ６ｂが消灯され（Ｓ５）、次に、複数のＬＥＤ３（第１〜第１３ＬＥＤ３ａ〜３ｍ）が第ｎ発光パターンに切換えられる（Ｓ６）。Ｓ１５の判定がYes の場合、発光パターン番号ｎ（＝１）は維持されてＳ６が実行され、つまり、前回と同じ第１発光パターンとなり、結果的に発光パターンは切換えられない。使用者は、点灯した第１報知ＬＥＤ６ａを見て、この第１報知ＬＥＤ６ａが指し示す方向となる往方向スイングＳ１を行えばよい。その後、前記同様に処理・制御が実行される。
【００４６】
以上説明したスイング式発光表示装置１によれば次の効果を奏する。
発光制御装置４は、棒状部材２を往復させるようにスイングした際にその往方向スイングＳ１と復方向スイングＳ２とで同一の図柄を表示可能に複数のＬＥＤ３を制御し、この発光制御装置４による制御に同期させて、図柄を表示可能にする棒状部材２のスイング方向を報知するスイング方向ガイド手段１１、及び図柄を表示可能にする棒状部材２のスイング方向を切換えるタイミングを報知するタイミングガイド手段１２を設けた。
【００４７】
従って、使用者は、棒状部材２のスイング面と略直交し且つ使用者と反対方向（通常、使用者の前方）に複数のＬＥＤ３が向くようにして、スイング方向ガイド手段１１、及びタイミングガイド手段１２による報知に従って、棒状部材２をスイングすることにより、そのスイング軌跡上に複数のＬＥＤ３の発光残像により、図５のように他者に対して図柄（「ＳＫＥ」）を適切に表示させることができる。
【００４８】
即ち、スイング方向ガイド手段１１により棒状部材２のスイング方向をガイドすることにより、図１２のように文字を反転表示させることなく、図５のように正常な向きで表示させることができ、更に、タイミングガイド手段１２により棒状部材２のスイング方向を切換えるタイミングをガイドすることにより、１回のスイング（往方向スイングＳ１又は復方向スイングＳ２）で文字を適当なサイズで表示させることができる。
【００４９】
スイング方向ガイド手段１１は、棒状部材２に取付けられ且つ棒状部材２の往方向スイングＳ１と復方向スイングＳ２に夫々対応する第１，第２報知ＬＥＤ６ａ，６ｂを有するので、第１，第２報知ＬＥＤ６ａ，６ｂを制御して、スイングすべき方向に対応する報知ＬＥＤ６ａ又は６ｂを点灯させることで、図柄を表示可能にする棒状部材２のスイング方向を確実に報知することができる。しかも、第１，第２報知ＬＥＤ６ａ，６ｂは夫々対応するスイング方向を指し示すように取付けられているため、点灯している報知ＬＥＤ６ａ又は６ｂが指す方向に棒状部材２をスイングすることで、文字を正常な向きで表示させるスイングを容易に実現することができる。
【００５０】
タイミングガイド手段１２は、スイング方向ガイド手段１１の第１，第２報知ＬＥＤ６ａ，６ｂを兼用して構成されているため、タイミングガイド用に別途報知機器を設ける必要がなく、つまり、構造の複雑化を抑制し、製作コストが高価になるのを抑制して、棒状部材２のスイング方向を切換えるタイミングを報知することができる。
【００５１】
発光制御装置４は、複数のＬＥＤ３の発光パターンを設定時間毎に切換えるように制御し、往方向スイングＳ１において複数の発光パターンＰ１〜Ｐ１９を順次切換える切換え順序Ｐ１→Ｐ２→・・・→Ｐ１９と、復方向スイングＳ２において複数の発光パターンＰ１〜Ｐ１９を順次切換える切換え順序Ｐ１９→Ｐ１８→・・・→Ｐ１とが逆になるので、複数の発光パターンＰ１〜Ｐ１９のデータ量を小さくして、棒状部材２の往方向スイングＳと復方向スイングＳ２とで同一の図柄を表示させることができる。
【実施例２】
【００５２】
実施例２は、実施例１を部分的に変更したものである。依って、実施例１と基本的に同一の構造、構成、機能については説明を省略する。
【００５３】
発光制御装置４は、棒状部材２を正規のスイング方向Ｓにおいて往復させるようにスイングした際にその往方向スイングＳ１と復方向スイングＳ２とで、異なる図柄（例えば、図５に示す往方向スイングＳ１での「ＳＫＥ」の文字と、図１１に示す復方向スイングＳ２での「Ｎｏ．１」の文字）を他者に対して表示可能に複数のＬＥＤ３を制御し、この場合、複数のＬＥＤ３の発光パターンを設定時間毎に切換えるように制御する。
【００５４】
発光制御装置４が実行する処理・制御について詳しく説明する。
図９に示すように、この処理・制御は電源がオンされると開始され、先ず、実施例１同様、Ｓ１〜Ｓ１０が順次実行される。ここで、図１０に示すように、ＭＣ７には、複数の発光パターン（第１発光パターンＰ１，第２発光パターンＰ２・・・、第Ｎ発光パターンＰＮ（Ｎ＝３８））のデータ、発光パターン数Ｎ（Ｎ＝３８）のデータ、発光パターン切換え時間ΔＴのデータ、往復非同一図柄指定のデータ、等が記憶されている。
【００５５】
例えば、複数の発光パターンＰ１〜Ｐ３８は、往方向スイングＳ１で、図８に示すように「ＳＫＥ」の文字を表示させ、復方向スイングＳ２で、図１１に示すように「Ｎｏ．１」の文字を表示させるものであり、発光パターンＰ１〜Ｐ１９は実施例１の発光パターンＰ１〜Ｐ１９と同様である。
【００５６】
発光パターンＰ２０〜Ｐ３８のうち、例えば、第２２発光パターンＰ２２では、全ＬＥＤ３が点灯され、第２８発光パターンＰ２８では、ＬＥＤ３ｇ〜３ｌが点灯されて残りのＬＥＤ３が消灯され、第３５発光パターンＰ３５では、ＬＥＤ３ｇが点灯されて残りのＬＥＤ３が消灯される。往復非同一図柄指定は、往方向スイングＳ１と復方向スイングＳ２とで異なる図柄を表示する指定を意味し、この往復非同一図柄指定のデータが読込まれたことを条件に、図９のＳ４以降の発光制御が有効になる。
【００５７】
さて、図９に示すように、Ｓ１０において、往方向スイングフラグＦ＝１か否か判定され、往方向スイングＳ１時には、Ｓ１０の判定がYes になり、次に、発光パターン番号ｎ＝Ｎ／２（Ｎ＝３８）か否か判定され（Ｓ２１）、Ｓ２１の判定がNoの場合、つまり、往方向スイングＳ１を継続して行う場合、発光パターン番号ｎがｎ＋１に加算され（Ｓ２２）、Ｓ６へリターンする。こうして、Ｓ２１の判定がYes になるまで、図８に示すように、往方向スイングＳ１時、複数のＬＥＤ３の発光パターンが、Ｐ１→Ｐ２→Ｐ３・・・→Ｐ１９となるように設定時間ΔＴ毎に順次切換えられる。
【００５８】
Ｓ２１の判定がYes になった場合、つまり、往方向スイングＳ１から復方向スイングＳ２に切換える場合、発光パターン番号ｎがｎ＋１に加算され（Ｓ２３）、Ｓ１３へ移行する。その後、復方向スイングＳ２時には、Ｓ１０の判定がNoになり、次に、発光パターン番号ｎ＝Ｎ（Ｎ＝３８）か否か判定され（Ｓ２４）、Ｓ２４の判定がNoの場合、Ｓ２２へ移行し、その後、Ｓ６へリターンする。こうして、Ｓ２４の判定がYes になるまで、図１１に示すように、復方向スイングＳ２時、複数のＬＥＤ３の発光パターンが、Ｐ２０→Ｐ２１→Ｐ２２・・・→Ｐ３８となるように設定時間ΔＴ毎に順次切換えられる。Ｓ２４の判定がYes になった場合、つまり、復方向スイングＳ２から往方向スイングＳ１に切換える場合、発光パターン番号ｎに１がセットされ（２５）、Ｓ４へ移行する。
【００５９】
実施例２のスイング式発光表示装置１によれば、発光制御装置４は、棒状部材２を往復させるようにスイングした際にその往方向スイングＳ１と復方向スイングＳ２とで異なる図柄を表示可能に複数のＬＥＤ３を制御し、従って、使用者は、スイング方向ガイド手段１１、及びタイミングガイド手段１２による報知に従って、棒状部材２をスイングすることにより、そのスイング軌跡上に複数のＬＥＤ３の発光残像により、図５、図１１のように他者に対して図柄（「ＳＫＥ」「Ｎｏ．１」）を適切に表示させることができる。その他は実施例１のスイング式発光表示装置１と同様の効果を奏する。
【００６０】
尚、スイング方向ガイド手段１１、タイミングガイド手段１２については、報知ＬＥＤ６ａ，６ｂの代わりに、或いは報知ＬＥＤ６ａ，６ｂと併用して、音声や振動により報知するようにしてもよい。例えば、振動で報知する場合には、棒状部材２のグリップ筒部２ｂ内にバイブレータを装備し、往方向スイングＳ１と復方向スイングＳ２の一方でバイブレータを作動させ振動させることで報知し、往方向スイングＳ１と復方向スイングＳ２の他方でバイブレータを非作動とし振動させないことで報知する。
【００６１】
その他、本発明の趣旨を逸脱しない範囲において種々の変更を付加して実施が可能である。例えば、棒状部材２（ＬＥＤ取付筒部２ａ、グリップ筒部２ｂ）については種々の構造のものを適用可能である。
【符号の説明】
【００６２】
１  スイング式発光表示装置
２  棒状部材
３（３ａ〜３ｍ）  ＬＥＤ
４  発光制御装置
６ａ，６ｂ  第１，第２報知ＬＥＤ
１１  スイング方向ガイド手段
１２  タイミングガイド手段
【図１】
0005792551.tif 000002
【図２】
0005792551.tif 000003
【図３】
0005792551.tif 000004
【図４】
0005792551.tif 000005
【図５】
0005792551.tif 000006
【図６】
0005792551.tif 000007
【図７】
0005792551.tif 000008
【図８】
0005792551.tif 000009
【図９】
0005792551.tif 000010
【図１０】
0005792551.tif 000011
【図１１】
0005792551.tif 000012
【図１２】
0005792551.tif 000013